Podtech/llm-jp-corpus-v4-ja_patent huggingface dataset:
(57)【要約】      （修正有）【課題】正座をする際に感じる腰への負担、立ち上がる際の腰、膝への負担を軽減する正座いすを提供する。【解決手段】いすの支柱部分の円筒の鋼管内にばねを設ける。座部と下部の連結部には、座部の支持部材に張り出す張り出し部材を設け、下部の筒状部材には長手方向に長穴が設けられ、これらを組み合わせることによって座部と下部とがはずれなくなっている。下部の載置面の当接する当接部材を立設する円筒状部材を中心に湾曲させる。【選択図】図２
0003164557.tif 000002
【実用新案登録請求の範囲】
【請求項１】
いすの支柱部分に円筒の鋼管（丸パイプ）を使用し、そこにばねを設け、昇降の動きを円滑にし、座ったり立ち上がっつたりする際にかかる体の各部分への負担を軽減させることを特徴とした正座いすである。
【請求項２】
座部と下部の連結部には、座部の支持部材に張り出す張り出し部材（ピン）を設け、下部の筒状部材には長手方向に長穴が設けられている。これらを組み合わせることによって座部と下部ははずれることがない、これを２つ目の特徴とする。
【請求項３】
下部の載置面の当接する当接部材を立設する円筒状部材を中心に湾曲させることによって、いす全体への安定感と強度が増す。これを３つ目の特徴とする。
【考案の詳細な説明】
【技術分野】
【０００１】本考案は、支柱部分になる円筒にばねを設けた、正座いすに関するものである。
【背景技術】
【０００２】従来の正座いすは、一定の高さに決められた固定式のものが多くみられる。
【先行技術文献】
【特許文献】
【０００３】
【特許文献１】実願平８−４５６０  実願平５−６６６４９  実願平３−９００６８  実開平０１−１４１６６０  実開昭６３−５２５００  実開昭６２−５２５００  実開昭５２−１４９００７  実開昭４９−１４４４８８
【考案の概要】
【考案が解決しようとする課題】
【０００５】そのため高齢者等が固定式の上記正座いすに座った際に感じる腰への負担が大きく、又、立ち上がる際にも腰、膝への負担がかかるという欠点があった。
【課題を解決するための手段】
【０００６】本考案は、上記欠点を除去するようにしたもので、座部と下部の二つから形成されており、その支柱部分にあたる円筒を組み合わせ、そこにばねを設け、その力を利用することによっていすを昇降させ腰、膝への負担を軽減させ、且つ、座部の部分は、座布団に用いられるようなウレタンを使用しすることによって、より全体的に大きなクッション性を生むことができりことから問題点を解決している。
【考案の効果】
【０００７】本考案の正座いすは従来通りに正座をする際に使い腰、膝への負担を軽減させる。
正座から立つ際にもバネの反発力を利用し補助もしてくれる。又、普通のいすとしても使ってもらっても構わないが、本来、正座を目的として製作したため高さが低いので中腰の姿勢を保つ時などには役に立つ。【０００８】支柱部分を円筒状にしたことによって足の可動範囲が前後左右ともに広がり、着物等を着ている人やいすの後ろで足を交差したい人にも座りやすくなっている。
【図面の簡単な説明】
【０００９】
【図１】本考案の正座いすの一実施例を示す正面図である。
【図２】本正座いすの一部切断断面図である。
【考案を実施するための形態】
【００１０】正座いすの上部、座部支持部材より側方に張り出す張り出し部材と座部支持部材の先に蓋をし、下部には、円筒状部材の長手方向の前後になる部分に長溝を作り、円筒状部材内にばねを入れ、これらを連結させることによって昇降自在の動きを円滑にすることができる。又、昇降の動きをした際に起きる前後左右の動き、いす全体のバランスを保つ為に載置面（床、畳等）に当接する当接部材の中心部を湾曲させてある。
【実施例】
【００１１】以下、添付図面に従って一実施例を説明する。座部は、おしりが当接する部分に固定部材３にウレタン１と木板２を貼り付けられたのが座部支柱部材４に取りつけてあり、床や畳等の載置面に当接する当接部材３と、この当接部材３より立設する上部が開いた筒状部材４と、の筒状部材４内に弾性部材７を設ける。
前記座部支持部材の先端は、前記筒状部材内に位置すると共に前記弾性部材に当接することで昇降する。【００１２】また、座部支持部材４と下部の載置面に立設する筒状部材４を連結させる為に、座部支持部材４には張り出し張り出す部材５を設け、下部の筒状部材には長手方向に長穴を設け、それらを連結させる。
【符号の説明】１  ウレタン
２  木板
３  鉄板
４  一般構造用鋼管（丸パイプ）
５  ピン
６  蓋
７  バネ
【図１】
0003164557.tif 000003
【図２】
0003164557.tif 000004
【手続補正書】
【提出日】平成22年9月21日(2010.9.21)
【手続補正１】
【補正対象書類名】実用新案登録請求の範囲
【補正対象項目名】全文
【補正方法】変更
【補正の内容】
【実用新案登録請求の範囲】
【請求項１】
いすの支柱部分に円筒の鋼管（丸パイプ）を使用し、円筒の鋼管内にばねを設けることによって昇降の動きを円滑にさせることを特徴とする正座いす。
【請求項２】
座部と下部の連結部には、座部の支持部材に張り出す張り出し部材（ピン）を設け、下部の筒状部材には長手方向に長穴が設けられ、これらを組み合わせることによって座部と下部とがはずれなくなっていることを特徴とする請求項１記載の正座いす。
【請求項３】
下部の載置面の当接する当接部材を立設する円筒状部材を中心に湾曲させることによって、いす全体への安定感と強度が増すことを特徴とする請求項１記載の正座いす。
(57)【要約】      （修正有）【課題】火力が劣り、火持ちの悪い放置間伐材を用いて、燃料と同等またはそれ以上の暖房効果を得られる薪ストーブを提供する。【解決手段】半円アーチ形の仕切り板の頂上中央部に、火種誘導孔を穿孔し、この火種誘導孔を通過上昇した火種の収束及び散逸防止のための誘導板を取り付けた二次燃焼に係る点火構造ユニットを、炉内に組み込む。【選択図】図４
0003164554.tif 000002
【実用新案登録請求の範囲】
【請求項１】
半円アーチ形の仕切り板の頂上中央部に、火種誘導孔を穿孔し、この火種誘導孔を通過した火種の収束及び散逸防止のため、１部分を火種誘導孔に埋め込んだ誘導板で構成しした二次燃焼に係る点火構造ユニットＡを、炉内に組み込んだ薪ストーブ。
【請求項２】
前記二次燃焼に係る点火構造ユニットＡにおける誘導板に関し、その１部分を火種誘導孔に埋め込む方式に代えて、火種誘導孔の後方側の縁に溶接・独立させ、更に安定性保持のため、裏面に三角形の支え板を取り付けた方式の、二次燃焼に係わる点火構造ユニットＢを、炉内に組み込んだ薪ストーブ。
【考案の詳細な説明】
【技術分野】
【０００１】  本考案は、薪ストーブの二次燃焼に係わる点火構造ユニットによる、暖房機能向上構造に係わる。
【背景技術】
【０００２】  国土保全上憂えるべき現状にある放置間伐材及び荒廃木竹林の木竹は、収集機能さえあれば、誰でも、無償で容易に入手できる、国内の陸上部に現存する唯一のエネルギー資源でもある。
行政等に頼らず、その一部分でも有効活用するには、薪ストーブ用を含む暖房用燃料に充てることしか考えられない。
しかしながら、間伐材は、市販の木材燃料に比べ火力がやや劣るため、薪ストーブの機能向上によってこれを補完する必要があつた。
【先行技術文献】
【特許文献】
【０００３】  未把握。
なお、雑誌、宣伝チラシはもとより、設置・使用中の薪ストーブで、特許及び実用新案の表示されたものは確認されない。
さらに、本願考案者の行動範囲内における使用中の薪ストーブで、本考案の二次燃焼に係わる点火構造ユニットはもとより、これに類似した二次点火方式及びこれに基づく二次燃焼構造に、該当するものはない。
【考案の概要】
【考案が解決しようとする課題】
【０００４】  火力が劣り、火持ちの悪い放置間伐材を市販燃料と同等またはそれ以上に暖房効果を得られる、薪ストーブの暖房機能の向上。
【課題を解決するための手段】
【０００５】  失敗を重ね、諦めていた時、ふと、２０〜３０年前知り得た、内燃機関における燃焼方式の、一次燃焼、二次燃焼及び副燃焼室、主燃焼室の名称が浮かんだ。
これをヒントに、下記の  二次燃焼に係わる点火構造ユニットを発案した。
【考案の効果】
【０００６】  本考案の二次燃焼に係わる点火構造ユニットを組み込んだ薪ストーブによって、明確な暖房機能の向上を確認した。
なお、該薪ストーブは、市街地・住宅等密集地での設置・使用場所および、収集機能等の制約があるため、使用者または法人は限定的であるものの、副次的効果として、国土保全、林業振興、里山の再生及び脱石油に加えて、事業コストの削減とその相乗効果は計り知れない。
【図面の簡単な説明】
【０００７】
【図１】本考案の二次燃焼に係わる点火構造ユニットＡの概略平面図である。
【図２】本考案の二次燃焼に係わる…以下同一につき省略。点火構造ユニットＡの概略正面図である。
【図３】点火構造ユニットＡの火種誘導板の展開図である。
【図４】点火構造ユニットＡを取り付けた場合の薪ストーブ右側から見た概略斜視図である。
【図５】点火構造ユニットＡ及び同Ｂの火種誘導孔の平面図である。
【図６】点火構造ユニットＢの誘導板の概略正面図である。
【図７】点火構造ユニットＢの誘導板の展開図である。
【図８】点火構造ユニットＢの誘導板及びその支え板の概略側面図である
【考案を実施するための形態】
【０００８】［本考案  請求項１について］
本考案の二次燃焼に係わる点火構造ユニットＡの実施例を図１乃至図５Ａに基づいて説明する。
▲１▼半円アーチ形の仕切り板
▲２▼仕切り板の頂上の中央部に火種誘導孔
▲３▼穿孔の奥側にアーチ形の誘導板
の３点で構成されている。
なお、上記▲３▼の下側の一部分を上記▲２▼に埋め込み、溶接している。
（図１〜図５Ａ）
【０００９】  半円アーチ形の仕切り板は、薪ストーブ炉内の点火個所から排煙部分までの間隔を空けることによって、炉内の火炎・熱気の滞留時間を大幅に延長するためである。
なお、平板でなく、円形アーチ形にした理由は、火種採取の必要上、勢の強い火炎を、一ヶ所に集中させるためである。
【００１０】  火種誘導孔は、仕切り板頂上部に、二次燃焼の火種を連続して供給するための穿孔である。
二次点火の方法は、炉内前部の吹き抜け部分を上昇・屈折して、仕切り板の上側を排煙部方向に進行した一次燃焼の火炎・熱気の本流を、火種に突き当てるものである。
【００１１】  誘導板は、火種誘導孔を通過上昇した火種の収束及び散逸防止のためである。
なお、誘導板の下部を、火種誘導孔に埋め込み、溶接する目的は、誘導板の安定性保持のためである。
【００１２】［本考案請求項２について］
本考案の二次燃焼に係わる点火構造ユニットＢ
上記点火構造ユニットＡの構造との違いは、誘導板を火種誘導孔に埋め込まず、火種誘導孔の後方側の縁に溶接し、独立させていることである。
更に、安定性保持のため、その裏面に三角形の支え板を付けている。
（図５Ｂ〜図８）
【符号の説明】
【００１３】点火構造ユニットＡ  ［請求項１］
１  半円アーチ形の仕切り板
２  火種誘導孔
３  誘導板
４  薪ストーブの本体    点線表示
５  薪ストーブの本体の焚口    点線表示
６  吹き抜け部分
７  排煙部
点火構造ユニットＢ  ［請求項２］
８  火種誘導孔
９  誘導板
１０  誘導板支え板
【図１】
0003164554.tif 000003
【図２】
0003164554.tif 000004
【図３】
0003164554.tif 000005
【図４】
0003164554.tif 000006
【図５】
0003164554.tif 000007
【図６】
0003164554.tif 000008
【図７】
0003164554.tif 000009
【図８】
0003164554.tif 000010
【手続補正書】
【提出日】平成22年9月22日(2010.9.22)
【手続補正１】
【補正対象書類名】実用新案登録請求の範囲
【補正対象項目名】全文
【補正方法】変更
【補正の内容】
【実用新案登録請求の範囲】
【請求項１】
半円アーチ形の仕切り板の頂上中央部に、火種誘導孔を穿孔し、この火種誘導孔を通過上昇した火種の収束及び散逸防止のため取り付けた誘導板の３点で構成した二次燃焼に係る点火構造ユニットを、炉内に組み込んだ薪ストーブ。
【請求項２】
▲１▼  半円アーチ形の仕切り板
▲２▼  火種誘導孔
▲３▼  誘導板
上記３点で構成した、二次燃焼に係る点火構造を特徴とする、請求項１記載の薪ストーブ。
(57)【要約】      （修正有）【課題】常に環と環が交差して鎖になるように、用紙に切り取りミシンを打ち抜き加工した鎖用紙を提供する。【解決手段】（１）縦帯と横帯から成る十文字帯、（２）前記縦帯の天を右に曲げ、前記横帯の右端よりも左側の位置で止めた天延長部、（３）前記縦帯の地を右に曲げ、前記横帯の右端よりも右に伸ばした位置で上に曲げ、さらに、前記縦帯の天よりも上に伸ばした位置で左に曲げ、前記縦帯と前記天延長部の右端の間の位置で止めた地延長部、（４）前記横帯の右を上に曲げ、前記地延長部と前記天延長部の上端の間まで伸ばした位置で左に曲げ、前記地延長部と前記天延長部の間を通って伸ばし、前記縦帯と前記横帯の左端の間の位置で止めた右延長部、（５）前記横帯の左を上に曲げ、前記地延長部と前記右延長部の上端の間まで伸ばした位置で右に曲げ、前記縦帯と前記右延長部の左端の間の位置で止めた左延長部、以上を有する形状で切り取りミシンの打ち抜き加工をして鎖用紙を形成する。【選択図】図１
0003164522.tif 000002
【実用新案登録請求の範囲】
【請求項１】
天地、左右、それぞれ、谷折したときに、１８０度回転したと同じ働きになるようにするため、縦帯の天を右に曲げ、地は伸ばして谷折の補助線の上で左に曲げ、横帯の右はその間を通って左に伸ばし、左は谷折の補助線の上まで伸ばし右に曲げた形状で切り取りミシンの打ち抜き加工をした鎖用紙。
【請求項２】
紙以外の材料で請求項１と同様の形状にしたもの。
【考案の詳細な説明】
【技術分野】
【００１】紙の環が交差して鎖になる紙の玩具です。
【背景技術】
【００２】  江戸時代から紙の玩具として有るもので、同様のものはメビウスの十文字帯などが有ります。
【考案の概要】
【考案が解決しようとする課題】
【００３】  十文字帯は、縦帯の接合の仕方、横帯の接合の仕方によって一つの環になったり、二つに分離した環になったり、二つの環が交差したりしますが、ブライダル用品などでは環と環が交差するものが望まれるので、常に環が交差することになる鎖用紙にすること。
【課題を解決するための手段】
【００４】十文字帯、十文字帯の中心、谷折の補助線を切り取りミシン刃によって用紙に打ち抜き加工して図１、の形状にします、谷折の補助線より上の部分を折り曲げたとき縦帯１、と３，そして２、と４、横帯▲１▼、と▲３▼、そして▲２▼、と▲４▼、を接合したとき、１番下に２、と４、２番目が１、と３、になるように縦帯の天の方は右に曲げ、地の方は下から折り線イ、の上にもってきて左に曲げます、３番目が▲２▼、と▲４▼、４番目が▲１▼、と▲３▼、になるように横帯の右は、縦帯と折り線イ、のあいだにもってきて左に曲げ、横帯の左は折り線イ、の上にもってきて右にまげます、従って図１、の形状にすれば常に環と環が交差する鎖用紙になります。
【考案の効果】
【００５】常に環と環が交差するための用紙として特化することができる。
【図面の簡単な説明】
【００６】
【図１】  切り取りミシン刃の刃型罫線図です。
【符号の説明】
【００７】イ、      谷折の補助線
１、      天の接合部
２、      天の接合部
３、      地の接合部
４、      地の接合部
▲１▼、  右の接合部
▲２▼、  左の接合部
▲３▼、  左の接合部
▲４▼、  右の接合部
【図１】
0003164522.tif 000003
【手続補正書】
【提出日】平成22年2月7日(2010.2.7)
【手続補正１】
【補正対象書類名】実用新案登録請求の範囲
【補正対象項目名】全文
【補正方法】変更
【補正の内容】
【実用新案登録請求の範囲】
【請求項１】
メビウスの十文字帯で、天地は右曲げで接合、左右は左曲げで接合、常に環と環が鎖になるタイプの展開図（図１参照）を切り取りミシンにした抜き型で、用紙に打ち抜き加工した鎖用紙。
【請求項２】
はがき、本の帯表紙、チラシ等を用紙として用いた請求項１記載の鎖用紙。
【手続補正書】
【提出日】平成22年4月5日(2010.4.5)
【手続補正１】
【補正対象書類名】実用新案登録請求の範囲
【補正対象項目名】全文
【補正方法】変更
【補正の内容】
【実用新案登録請求の範囲】
【請求項１】
メビウスの十文字帯で、天地は右曲げで接合、左右は左曲げで接合、常に環と環が鎖になる構造の展開図を切り取りミシンにした抜き型で、用紙に打ち抜き加工し、鎖になる展開の構造体を切り取れるようにした用紙。
【請求項２】
はがき、本の帯表紙を用紙として、鎖になる展開の構造体を切り取れる様にしたもの。
【手続補正書】
【提出日】平成22年5月27日(2010.5.27)
【手続補正１】
【補正対象書類名】実用新案登録請求の範囲
【補正対象項目名】全文
【補正方法】変更
【補正の内容】
【実用新案登録請求の範囲】
【請求項１】
メビウスの十文字帯で作る鎖を、２枚のシートを貼合することで一つのシートにして、鎖の構造体をシート内に設けたもの。
【請求項２】
２枚のシートを貼合することを特徴として、環の数を増やした請求項１記載のもの。
【手続補正書】
【提出日】平成22年7月25日(2010.7.25)
【手続補正１】
【補正対象書類名】実用新案登録請求の範囲
【補正対象項目名】全文
【補正方法】変更
【補正の内容】
【実用新案登録請求の範囲】
【請求項１】
（１）縦帯と横帯から成る十文字帯、（２）前記縦帯の天を右に曲げ、前記横帯の右端よりも左側の位置で止めた天延長部、（３）前記縦帯の地を右に曲げ、前記横帯の右端よりも右に伸ばした位置で上に曲げ、さらに、前記縦帯の天よりも上に伸ばした位置で左に曲げ、前記縦帯と前記天延長部の右端の間の位置で止めた地延長部、（４）前記横帯の右を上に曲げ、前記地延長部と前記天延長部の間を通って伸ばし、前記縦帯と前記横帯の左端の間の位置で止めた右延長部、（５）前記横帯の左を上に曲げ、前記地延長部と前記右延長部の上端の間まで伸ばした位置で右に曲げ、前記縦帯と前記右延長部の左端の間の位置で止めた左延長部、以上を有する形状で切り取りミシンの打ち抜き加工をした鎖用紙。
【手続補正書】
【提出日】平成22年9月18日(2010.9.18)
【手続補正１】
【補正対象書類名】実用新案登録請求の範囲
【補正対象項目名】全文
【補正方法】変更
【補正の内容】
【実用新案登録請求の範囲】
【請求項１】
（１）縦帯と横帯から成る十文字帯、（２）前記縦帯の天を右に曲げ、前記横帯の右端よりも左側の位置で止めた天延長部、（３）前記縦帯の地を右に曲げ、前記横帯の右端よりも右に伸ばした位置で上に曲げ、さらに、前記縦帯の天よりも上に伸ばした位置で左に曲げ、前記縦帯と前記天延長部の右端の間の位置で止めた地延長部、（４）前記横帯の右を上に曲げ、前記地延長部と前記天延長部の上端の間まで伸ばした位置で左に曲げ、前記地延長部と前記天延長部の間を通って伸ばし、前記縦帯と前記横帯の左端の間の位置で止めた右延長部、（５）前記横帯の左を上に曲げ、前記地延長部と前記右延長部の上端の間まで伸ばした位置で右に曲げ、前記縦帯と前記右延長部の左端の間の位置で止めた左延長部、以上を有する形状で切り取りミシンの打ち抜き加工をした鎖用紙。
(57)【要約】      （修正有）【課題】ハンガー主体に、ハンガー補助用具を引掛けることで洗濯物の身頃に強制的に空間が創出され、全体的に効率よく乾燥させるハンガー補助用具を提供する。【解決手段】ハンガー主体５に引掛けられるフック１を枠体２の上部に設け、その上部から下方に亘って湾曲状に形成された骨桟３でハンガー補助装置を構成する。同装置は衣料洗濯物４の身頃を拡張する役目を果たすことで通気のための空間を確保する。【選択図】図３
0003164527.tif 000002
【実用新案登録請求の範囲】
【請求項１】
このハンガー主体に引掛けられるフック、及び
このフックを上部に設けると共に、
その上部から下方に亘って湾曲状に形成された骨桟とで構成された、衣料洗濯物
の身頃拡張用補助具
とで成したことを特徴としたハンガー装置。
【請求項２】
前記の補助具の枠体を四辺形に形成したことを特徴とした請求項１記載のハンガー装置。
【請求項３】
前記の骨桟を、複数本設けたことを特徴とする請求項１又は請求項２記載のハンガー
装置。
【考案の詳細な説明】
【技術分野】
【０００１】
本考案は、衣料などの洗濯物を効率よく乾かすためのハンガー補助用具に関する。
【背景技術】
【０００２】
従来例を示す特許文献１又は文献２はハンガー本体の構造を架橋部で反転等で開閉させることにより洗濯物の肩胸部分などの上位部分全体を広げるものである。
【先行技術文献】
【特許文献】
【０００３】
【特許文献１】特開２００１−１６２０９３
【特許文献２】実用新案登録第３１１５０１７号
【考案の概要】
【考案が解決しようとする課題】
【０００４】
解決しようとする問題点は、上記特許文献１又は文献２では洗濯物の上部付近だけに、通気のための空間は創出されるが、下部の身頃では濡れた状態の洗濯物はとうぜん密着しやすく、洗濯物全体の空間はできにくい点である
【０００５】
衣料の濡れた洗濯物は、干した際にその水分は下方に多く、身頃や袖付近の下方部分は密着しやすくなる。これまでのハンガーでは特にトレーナーやセーターなどの厚手の衣料は下方部にまで空間は確保できにくく、全体としては上から下までの通  気性が悪く乾燥しにくいなどの問題点がある。
【課題を解決するための手段】
【０００６】
上記課題を解決するため、このハンガー主体に引掛けられるフック、及びこのフックを上部に設けると共に、その上部から下方に亘って湾曲状に形成された骨桟とで構成された、衣料洗濯物の身頃の拡張用補助具で成したことを特徴とすると共に、前記の補助具の枠体を四辺形に形成してもよく、また前記の骨桟を複数本設けてもよい。
【０００７】
本考案は、細い骨桟を縦長に形成したことを特徴として、ハンガー主体に引掛けられるフックを枠体の上部に設け、その上部から下方に亘って湾曲状に形成された骨桟で構成されたハンガー補助装置で、同装置は衣料洗濯物の身頃を拡張する役目を果たす。
【０００８】
本考案は、ハンガー本体にハンガー補助用具のフックで吊り下げることによって確実に洗濯物の身頃に空間が創出され、通気性が向上するため晴天時は無論、雨天時においても効率的に乾燥させることができる。
【図面の簡単な説明】
【０００９】
【図１】本考案の補助用具の斜視図
【図２】本考案の補助用具の平面図
【図３】本考案の補助用具の使用した状態を示す斜視図
【図４】本考案の補助用具の側面図
【考案を実施するための形態】
【００１０】
図３は本億案の請求項記載の考案について、実施の形態を具体化した斜視図である。
平面的な長方形の本体に上部から下方に亘って湾曲状の骨桟を複数本設けて形を成す。
【００１１】
四辺形の上部にフックを設け、その上部から下方に亘って湾曲状に形成された複数本の骨桟とで形成された用具を用いる。
【００１２】
枠体は四辺形以外に三角形や円形で形成されるものあり、骨桟も縦桟以外に横桟や斜桟を設けた変形構造など多岐に形成することができる。
【符号の説明】
【００１３】
１  フック
２  ハンガー補助用具の四辺形
３  湾曲状の骨桟
４  洗濯物セーター
５  ハンガー主体
６  ハンガー主体のフック
【図１】
0003164527.tif 000003
【図２】
0003164527.tif 000004
【図３】
0003164527.tif 000005
【図４】
0003164527.tif 000006
【手続補正書】
【提出日】平成22年7月14日(2010.7.14)
【手続補正１】
【補正対象書類名】実用新案登録請求の範囲
【補正対象項目名】全文
【補正方法】変更
【補正の内容】
【実用新案登録請求の範囲】
【請求項１】
フック、及び
このフックを上部に設けると共に
その上部から下方に亘って湾曲状に形成された骨桟とで構成された、衣料洗濯物の身頃拡張用補助具
を特徴のハンガー補助用具。
【請求項２】
前記の補助具の枠体を四辺形に形成したことを特徴とした請求項１記載のハンガー補助用具。
【請求項３】
前記の骨桟を、複数本設けたことを特徴とする請求項１又は請求項２記載のハンガー補助用具。
【手続補正２】
【補正対象書類名】明細書
【補正対象項目名】０００７
【補正方法】変更
【補正の内容】
【０００７】
本考案は、細い骨桟を縦長に形成したことを特徴として、ハンガー主体に引掛けられるフックを枠体の上部に設け、その上部から下方に亘って湾曲状に形成された骨桟で構成されたハンガー補助用具で、同用具は衣料洗濯物の身頃を拡張する役目を果たす。
【手続補正書】
【提出日】平成22年9月30日(2010.9.30)
【手続補正１】
【補正対象書類名】実用新案登録請求の範囲
【補正対象項目名】全文
【補正方法】変更
【補正の内容】
【実用新案登録請求の範囲】
【請求項１】
フック、及び
このフックを上部に設けると共に
その上部から下方に亘って湾曲状に形成された骨桟とで構成された、衣料洗濯物の身頃拡張用補助具とで成したことを特徴のハンガー補助用具。
【請求項２】
前記の補助具の枠体を四辺形に形成したことを特徴とした請求項１記載のハンガー補助用具。
【請求項３】
前記の骨桟を、複数本設けたことを特徴とする請求項１又は請求項２記載のハンガー補助用具。
(57)【要約】      （修正有）【課題】テーブルや机の上、車のダッシュボードに設置し、小物の収納を目的とした滑り止め効果を有する小物入れを提供する。【解決手段】小物入れ本体１の素材を合成ゴムスポンジ発泡体で作る事により、小物入れの滑りを抑制する事が可能となる合成ゴムスポンジは発泡体表面の摩擦係数が高く、テーブルや机、ダッシュボードとの相性では滑り止め効果を有する。本体の全ての角にボタン２を設置し留める事により小物入れになる。また、ボタンを外すことで、マウスパッドとしても使用出来る様になる。【選択図】図１
0003164530.tif 000002
【実用新案登録請求の範囲】
【請求項１】
隅に配置された釦を留める事により形成される小物入れ本体の素材が合成ゴムスポンジ発泡体から成る、滑り止め効果を有する小物入れ。
【考案の詳細な説明】
【技術分野】
【０００１】  本考案は、おもにテーブルや机の上、車のダッシュボードに設置し、小物の収納を目的とした滑り止め効果を有する小物入れである。【０００２】  車や卓上での小物入れを滑らないようにする為には、粘着シートを用いて留めるようなものが多い為、脱着が容易ではなくとても不便である。
【考案が解決しようとする課題】
【０００３】  小物入れ本体の素材を合成ゴムスポンジ発泡体で作る事により、小物入れの滑りを抑制する事が可能となる合成ゴムスポンジは発泡体表面の摩擦係数が高く、テーブルや机、ダッシュボードとの相性では滑り止め効果を有する。
本体の全ての角にボタンを設置し留める事により小物入れになる。
【０００４】  本考案は、合成ゴム発泡体のシートで構成されており、全ての角に配置したボタンを留めたり外したりする事により、容易に小物入れまたはマウスパッドになったりする。
また底面を合成ゴム発泡体とする事により滑り止め効果が得られる。
【考案の効果】
【０００５】  本考案の、小物入れで次の様な効果を得た。
・隅のボタンを留める事で深さが出来て、小物入れとして利用する事が出来る。
・ボタンを外せばマウスパッドとしても使用できる。
・底面を合成ゴム発泡体とする事により滑り止め効果を得た。
【図面の簡単な説明】
【０００６】
【図１】本考案の滑り止め効果を有する小物入れの実施例を示す図案である。
【考案を実施する為の形態】
【０００７】  本体を合成ゴム発泡体のシートで構成し、全ての角にに配置したボタンを留めたり外したりする事により容易に小物入れまたはマウスパッドになったりする。
【符号の説明】
【０００８】▲１▼  滑り止め効果を有する小物入れ本体
▲２▼  釦
【図１】
0003164530.tif 000003
(57)【要約】      （修正有）【課題】ネガティブな感情の言葉を書き出したページを切り離し、破棄、及び水に流すことができるメモ冊子を提供する。【解決手段】水に溶ける紙を水に溶けるページとし、別に、記入方法が書かれた部分をマニュアルページとして、２種のページを纏めて、メモ冊子とする。【選択図】図１
0003164577.tif 000002
【実用新案登録請求の範囲】
【請求項１】
通常の用紙からなる説明文のページと水に溶ける用紙からなるページを一緒に綴じたメモ冊子
【考案の詳細な説明】
【技術分野】
【０００１】  本考案はメモ冊子で有り、ネガティブ感情を書き出し、切り離し、破棄、及び水（洗面台、トイレ）に流す事で、快適に日常を過ごせる事を試みたものである
【背景技術】
【０００２】  従来のメモ冊子は内容を書く事の為にのみ製作されているものであった
【考案の概要】
【考案が解決しようとする課題】
【０００３】  本考案が目的とする所は▲１▼ネガティブな感情▲２▼残したくない事柄▲１▼、▲２▼どちらかの言葉を書き出し、切り離し、破棄、及び水（洗面台、トイレ）に流す
【課題を解決するための手段】
【０００４】  本考案は通常の用紙からなるマニュアルページ（説明、考え方、書き方）と手軽に切り離すことができる水に溶ける用紙のページ（一定期間継続できるように複数ページ有）の２種類の用紙にて綴じられているメモ冊子である
【考案の効果】
【０００５】  マニュアルページを読み、ネガティブな感情を、水に溶ける紙のページに書き出し、切り離し、破棄、及び水（洗面台、トイレ）に流す【０００６】  水に溶ける紙は複数ページ有るので、上記効果を一定期間継続実施可能
【図面の簡単な説明】
【図１】メモ冊子１に説明、考え方、書き方が２に記載され、その後ろのページに水に溶ける紙３が綴じられている
【考案を実施するための形態】
【０００７】  図の冊子１のマニュアルページ２を読み内容を把握し、内容に沿って水に溶ける紙のページ３に書き出し、切り離し、破棄、及び水（洗面台、トイレ）に流す
【０００８】  本考案は上記の実施の形態に限定されるものではない
水に溶ける紙は、例えば株式会社大直社製のトップシークレットペーパー（Ａ４サイズ２０８６００２、ＪＡＮコード４９０５１６１５４２３１３  この紙は簡単に処理可能で汚水処理も不要）を使う
【符号の説明】
【０００９】１  メモ冊子
２  マニュアルページ
３  水に溶ける紙のページ
【図１】
0003164577.tif 000003
(57)【要約】【課題】    洋式便座に於ける洗浄装置の小容量タンクに清浄な酸性水を給水する、洗浄用給水システムを供する。【解決の手段】水道管の室内配管に分岐金具１を接続し連結管２を取付け、その先端に給水アダプタ３を接続しカーボンフィルター４を連結する、更にカーボンフィルター吐出口連結管４ａにより酸性水生成器５に接続し、その吐出口用連結管５ａより便座の洗浄装置６の小容量タンクに連結することで課題を解決する。【選択図】図１
0003164574.tif 000002
【実用新案登録請求の範囲】
【請求項１】
洋式便座に於ける、おしり及びビデ洗浄のために水道水を給水する配管にカーボンフィルター及び酸性水生成器を連結し、肌に優しい水を供給することを特徴とする洗浄用給水システム。
【考案の詳細な説明】
【技術分野】
【０００１】  本考案は、洋式便座に於けるおしり・ビデ洗浄用の給水システムに関する。
【背景技術】
【０００２】  従来の洋式便座に於けるおしり・ビデ洗浄には、水道水を局部にノズルにより給水されているが、水道水を清浄で肌に優しい水を給水する機能がなかった。【０００３】  水道水を温水（約３０〜４０℃）にして、肌に直接噴射し洗浄することは、水道水に含有している残留塩素の影響を考慮していなかった。【０００４】  水道水のＰＨ値が中性であることは一般的に知られているが、酸性水にした場合肌の収斂作用及びものをきれいにする清浄作用が認められており、酸性水を活用していなかった。
【考案の開示】
【考案が解決しようとする課題】
【０００５】  デリケートなお肌や皮膚を守り清潔に保持するためのには、水道水をそのまま使用する行為を改める方が、安心・安全の見地から必要不可欠と考えられる。本考案はこれらの課題を解決することが目的である。【０００６】  本考案は、洋式便座に於ける洗浄装置（おしり・ビデ用）に供する水道水を清浄で肌に優しい水を給水するために、洗浄装置に附属している小容量タンクに酸性水を供することとし、配管途中にカーボンフィルターを連結し、続いて酸性水生成器を連結し給水することにした。
【考案の効果】
【０００７】  上述の様に本考案の洗浄用給水システムは、従来の配管をそのまま利用することにより簡単な工事で施行され過大なコストをかけないで、カーボンフィルターと酸性水生成器を配管途中に連結する。【０００８】  また、カーボンフィルターは臭い及び残留塩素を吸着除去し自然状態に近い水にしてくれます。更に酸性水生成器は、収斂作用及び清浄作用があり、肌に優しい水であると供に安心・安全が確保される。
【考案の実施するための最良の形態】
【０００９】  以下、本考案の実施形態を図１に基づいて説明する。
【００１０】  図１に於いて、１は水道管室内配管用分岐金具で、２は連結管、３は給水アダプタで４のカーボンフィルターに接続される更にカーボンフィルターの吐出側から連結管４ａにより、５の酸性水生成器に連結される。５の吐出口より連結管５ａにより洗浄装置６に給水される。
【図面の簡単な説明】
【００１１】
【図１】本考案の実施形態を示す洗浄用給水システムの系統図
【符号の説明】
【００１２】  １    水道管室内配管用分岐金具
２    連結管
３    給水アダプタ
４    カーボンフィルター
４ａ  カーボンフィルター吐出口用連結管
５    酸性水生成器
５ａ  酸性水吐出口用連結管
６    便座の洗浄装置
【図１】
0003164574.tif 000003
(57)【要約】      （修正有）【課題】傘をたたんだ状態時、手持品の取手部分を引っかけることにより手荷物の重さを軽減する傘を提供する。【解決手段】傘の柄に溝をつけることにより傘を畳んだ状況時、手持ち品をかけることにより重さが軽減される。電車、バスでの移動中においても同様の効果が得られる。上述の目的を達成する傘の先の部分にゴム製のストッパーをとりつけることにより杖の用途も備えることが出来る。【選択図】図１
0003164571.tif 000002
【実用新案登録請求の範囲】
【請求項１】
傘の柄の部分に溝をつけ，傘をたたんだ状態時，手持品の取手部分を溝に引っかけることにより  手荷物の重さを軽減することを特徴とする傘
【請求項２】
前記  柄の部分に溝をつけた傘の先端部分にゴム製のストッパーをつけ安定化を図り杖の用途も備えた傘
【考案の詳細な説明】
【技術分野】
【０００１】本考案は一般  雨，晴用の傘どちらにも用いる事の出来る便利傘
【背景技術】
【０００２】従来の傘製品は雨晴兼用のものは有るものの  それらには柄の部分の工夫が見られないものである．【０００３】傘の先  部分もしっかりとしたストッパーが付いていないものである．
【考案の開示】
【考案が解決するための課題】
【０００４】上述の如く従来の傘では柄の部分，先の部分に工夫が見られないため傘としての用途はあるが手持ち品の重さを軽減することも出来ず杖の用途としても難しい．
【課題を解決するための手段】
【０００５】傘の柄に溝をつけることにより傘を畳んだ状況時  手持ち品をかけることにより重さが軽減される．電車，バスでの移動中においても同様の効果が得られる．
【０００６】上述の目的を達成する傘の先の部分にゴム製のストッパーをとりつけることにより杖の用途も備えることが出来る．
【考案の効果】
【０００７】以上説明したように本考案により年齢，性別，季節を問わず雨，晴兼用で日常的に使う傘が上述の用途も備え利用することが可能になる．
【考案を実施するための最良の形態】
【０００８】傘の柄の部分に溝をつけるにあたって通常の柄のプラスチック及び木製部分をＵ字から実施の形態を図面に基づき詳細に説明する．【０００９】傘の先部分をゴム製のストッパーで強化する実施の形態を図面に基づき説明する．
【実施例】
【００１０】先に述べた〔０００８〕図１，図２
〔０００９〕図３，図４の通り
【産業上の利用可能性】
【００１１】本考案は傘製造，販売する産業分野で利用することが出来る．
【図面の簡単な説明】
【００１２】
【図１】本考案の柄部分の外覧図である．
【図２】上と同じく傘の柄部分の外覧図である．
【図３】本考案の傘の先部分の外覧図である．
【図４】上と同じく傘の先部分の外覧図である．
【符号の説明】
【００１３】１，２  傘の柄
３，４  傘の先
【図１】
0003164571.tif 000003
【図２】
0003164571.tif 000004
【図３】
0003164571.tif 000005
【図４】
0003164571.tif 000006
(57)【要約】      （修正有）【課題】壁のコーナー部分の隅柱に家具の転倒防止に介する横木を固定するための金具の構造を提供する。【解決手段】アングル形状の下板に、同じアングル形状の上板を、板の面に沿って、重ねる。円形の穴を有する三角形状の補強板を、上板の内側直交面に対して、直角に接合させる。この２枚の板の間に形成される隙間に、横木を挟み、壁のコーナー部分の隅柱に、横木と一体化させて固定する。【選択図】図１
0003164286.tif 000002
【実用新案登録請求の範囲】
【請求項１】
図１の通り、壁のコーナー部分に沿って、横木を固定させる目的に使用するため、アングル形状の板１に、アングル形状の板５を重ねて、２枚の板の間に横木を挟んでネジで、隅柱に固定する構造の建築金具。
【請求項１】
図１の通り、アングル形状の板５の構造の一部として接合された三角形状の補強板７を設けること。
【請求項１】
図１の通り、補強板７に汎用アンカーとして円形の穴を設けること。
【考案の詳細な説明】
【技術分野】
【０００１】  本考案は、地震による家具の転倒防止のため、壁に取り付けられる横木を、壁のコーナー部分に固定するための金具に関するものである。
【背景技術】
【０００２】  地震による家具の転倒防止を施工するにあたり、家具と壁の桟の間で、直接、又は、横木を介してＬ型金具によって連結することが、広く行われている。
しかし、壁のコーナー部分と横木の固定には、定型的な方法が無かった。
【先行技術文献】
【特許文献】
【０００３】
【非特許文献】
【０００４】
【考案の概要】
【考案が解決しようとする課題】
【０００５】  壁のコーナー部分の隅柱に家具の転倒防止に介する横木を固定するための金具の構造を提供するものである。
【課題を解決するための手段】
【０００６】  図１に基づき、説明をする。
アングル材１を壁のコーナー面に合わせて、ネジ穴２によって、ネジで隅柱に固定をする。
次に、アングル材１の折り返し部分４に、横木９を載せて、アングル材５で押さえながら、ネジ穴３とネジ穴６を利用して、ネジを隅柱まで、ねじ込み、前述の課題を完成させる。
三角形状の補強板７は、アングル材５に接合されている。
この補強板の中心に、多目的のアンカーの確保が可能な円形の穴８を設けている。
【考案の効果】
【０００７】  本考案は、家具を固定するための横木を、隅のコーナー部分に固定する場合に、２枚のアングル材の間に横木を挟んで、ネジにより隅柱に固定する構造であるので、横木の断面寸法に対する汎用性が高く、強靭且つ、容易に固定することができる。
取り付けに利用するネジの破断強度の調整によって、隅柱への過大な負荷を避けることも可能である。
また、本考案は、手すりを壁に固定するために備えられる横木の固定にも応用できる。
【図面の簡単な説明】
【０００８】
【図１】形態を示した見取り図である。
【図２】実施例の姿図である。
【考案を実施するための形態】
【０００９】  図２は、タンス（ア）を例として、本考案の金具によって、壁に固定された状態の姿図である。
【実施例】
【００１０】
【産業上の利用可能性】
【００１１】
【符号の説明】
【００１２】図１
１  隅柱に接合させるアングル材
２  ネジ穴  １箇所
３  アングル材１のネジ穴  ６箇所
４  アングル材１の折り返し部分
５  横木を固定するアングル材
６  アングル材２のネジ穴  ６箇所
７  補強板
８  補強板７に設ける円形の穴
９  横木
図２
（ア）  本考案の利用例  タンス
【図１】
0003164286.tif 000003
【図２】
0003164286.tif 000004
【手続補正書】
【提出日】平成22年7月6日(2010.7.6)
【手続補正１】
【補正対象書類名】実用新案登録請求の範囲
【補正対象項目名】全文
【補正方法】変更
【補正の内容】
【実用新案登録請求の範囲】
【請求項１】
壁のコーナー部分に沿って、横木を固定させる目的に使用するため、アングル形状の下板に、同じ基本形状のアングル形状の上板を、板の面に沿って、重ねることにより、この２枚の板の間に形成される隙間に、前記の横木を挟んでネジで、壁のコーナー部分の隅柱に、この横木と一体化させて固定できる構造の建築金具。
【請求項２】
請求項１記載のアングル形状の上板の構造の一部として、三角形状の補強板を、このアングル形状の上板の内側直交面に対して、直角に接合させた構造を特徴とする請求項１記載の建築金具。
【請求項３】
請求項２記載の三角形状の補強板の面に、汎用アンカーとして活用するための円形の穴を設けた構造を特徴とする請求項１記載の建築金具。
【手続補正書】
【提出日】平成22年8月30日(2010.8.30)
【手続補正１】
【補正対象書類名】実用新案登録請求の範囲
【補正対象項目名】全文
【補正方法】変更
【補正の内容】
【実用新案登録請求の範囲】
【請求項１】
壁のコーナー部分に沿って、横木を固定させる目的に使用するため、アングル形状の下板に、同じ基本形状のアングル形状の上板を、板の面に沿って、重ねることにより、この２枚の板の間に形成される隙間に、前記の横木を挟んでネジで、壁のコーナー部分の隅柱に、この横木と一体化させて固定できる構造の建築金具。
【請求項２】
請求項１記載のアングル形状の上板の構造の一部として、三角形状の補強板を、このアングル形状の上板の内側直交面に対して、直角に接合させた構造を特徴とする請求項１記載の建築金具。
【請求項３】
三角形状の補強板の面に、汎用アンカーとして活用するための円形の穴を設けた構造を特徴とする請求項２記載の建築金具。
【手続補正２】
【補正対象書類名】図面
【補正対象項目名】全図
【補正方法】変更
【補正の内容】
【図１】
0003164286.tif 000005
【図２】
0003164286.tif 000006
(57)【要約】      （修正有）【課題】就寝時の胸やけの原因となる胃酸の逆流を抑制する胸やけ予防安眠マットを提供する。【解決手段】台形柱の上部から緩やかな斜面になっている。【選択図】図１
0003164284.tif 000002
【実用新案登録請求の範囲】
【請求項１】
胸やけ予防マットは、腰部から肩部にかけて傾斜をつけ、胸やけの原因である胃酸の逆流を抑制するものであり、使い慣れた枕が基本的に使用できるよう考案し、収納がしやすいよう折りたたみ式とした。
【考案の詳細な説明】
【技術分野】
【０００１】就寝時の胃酸逆流防止に関するものである。
【背景技術】
【０００２】  年齢を重ねることによる胃と食道部の境目の噴門部の緩みによる胃酸逆流で胸やけに悩んでいる人が多い。
【考案の概要】
【考案が解決しようとする課題】
【０００３】  就寝時の胸やけの原因は胃酸の逆流によるものが多く、胃酸の逆流を防止することにより胸やけを解消し胃潰瘍への進展を予防できるものである。
【課題を解決するための手段】
【０００４】  本考案は、就寝時の胃酸逆流を防止するため、腰部より肩部にかけ傾斜をつけ胃酸逆流を予防し胸やけを防ぐ可能性がある。
【考案の効果】
【０００５】  上述の様に、本考案の胸やけ予防マットは、腰部より肩部にかけ徐々に角度をつけ、胃酸の逆流を抑制し胸やけ予防に役立つ。
【図面の簡単な説明】
【０００６】
【図１】本考案の胸やけ予防マットの側面図である。
【図２】本マットの折りたたみの側面図である。
【図３】本マットの正面図である。
【考案を実施するための形態】
【０００７】  マット本体に傾斜をつけ、腰部より肩部にかけての高低差により胃酸の逆流を予防する形状であり、肩部の上部に枕を置ける形態とした。
【実施例】
【０００８】  以下の添付図面に従って一実施例を説明する。Ｉはウレタンフォー等適宜素材にて収納しやすい折りたたみ式とした。折りたたみを広げ、就寝時にベットまたは敷布団の上に敷き、使い慣れた枕を設置し就寝する。
【図１】
0003164284.tif 000003
【図２】
0003164284.tif 000004
【図３】
0003164284.tif 000005
【手続補正書】
【提出日】平成22年4月28日(2010.4.28)
【手続補正１】
【補正対象書類名】実用新案登録請求の範囲
【補正対象項目名】全文
【補正方法】変更
【補正の内容】
【実用新案登録請求の範囲】
【請求項１】
台形の上底に頭部を置き、下低の三角部分にむけ肩部から腰部と傾斜にそって寝ることにより、胸やけの原因である胃酸の逆流を抑制する「胸やけ予防安眠マット」である。
【手続補正書】
【提出日】平成22年6月30日(2010.6.30)
【手続補正１】
【補正対象書類名】実用新案登録請求の範囲
【補正対象項目名】全文
【補正方法】変更
【補正の内容】
【実用新案登録請求の範囲】
【請求項１】
図１で記した図の底辺と平行である上位部分に頭部を置き、斜面上部に肩部、斜面下部に腰部を置いて寝ることにより、胸やけの原因である胃酸の逆流を抑制する「胸やけ予防安眠マット。」
【手続補正書】
【提出日】平成22年9月2日(2010.9.2)
【手続補正１】
【補正対象書類名】実用新案登録請求の範囲
【補正対象項目名】全文
【補正方法】変更
【補正の内容】
【実用新案登録請求の範囲】
【請求項１】
台形柱の上部から緩やかな斜面になっている胸やけ予防安眠マット。
(57)【要約】      （修正有）【課題】面発光を行なって薄型、柔軟である発光体をカバーの外表面に設けるようにし、昼間時であっても発光によって注意を引き易いランドセル用のカバーを提供する。【解決手段】ランドセルカバー１の外表面に、ＥＬからなる有彩色の面発光手段３を設けた。面発光手段が面として発光するため、このカバーをランドセルに取り付けることで、昼間時であっても発光する面発光手段が目立ち易くなり、ランドセルを背負った学童を視認し易くなる。そして、面発光手段がＥＬからなるものであって、柔軟なシート基材を用いることで、発光部分を柔軟で薄型に作製でき、違和感なくランドセルの冠せに取り付けることができるなど、実用性に優れた効果を奏するものである。【選択図】図１
0003164238.tif 000002
【実用新案登録請求の範囲】
【請求項１】
ランドセルの冠せに装着するランドセルカバーであって、カバーの外表面に、ＥＬからなる有彩色の面発光手段が設けられていることを特徴とするランドセルカバー。
【考案の詳細な説明】
【技術分野】
【０００１】
本考案は、ランドセルを背負った学童の存在をその学童の後方から確認し易くためのランドセルカバーに関するものである。
【背景技術】
【０００２】
従来、ランドセルカバーにあっては、特許文献１に示されているように、光反射テープを縁取りとして設けたものや、特許文献２に示されているように、高輝度の光反射性を持ったマルチプリズムシートをデザインした形状にしてカバーの外表面に設けたものがある。また、特許文献３に示すようにＬＥＤやＬＤなどの光源の光を細長い導光体にて光輝するようにした発光体をカバー側部の小袋に収容し、そして、このカバーをランドセルに取り付けることで発光体が冠せの側部で光輝して見えるようにしたものも提案されている。
【先行技術文献】
【特許文献】
【０００３】
【特許文献１】実用新案登録第３０７７２７８号公報
【特許文献２】実用新案登録第３０８７８０６号公報
【特許文献３】特開２００９−０１３５３８号公報
【考案の概要】
【考案が解決しようとする課題】
【０００４】
しかしながら、上述した光反射テープやマルチプリズムシートを用いたランドセルカバーでは光反射によって光輝はするものの、学童の登下校のまだ十分に日の高い時間帯では太陽光の直射光や明度が高い外界の景色中にまぎれてしまい目に付き難いという問題がある。また、導光体が光るようになるカバーであっても発光部分が線状となってしまい、やはり、昼間時には目立ち難いものであり、光源であるＬＥＤを面状配置してそのＬＥＤからの照射光をそのまま利用して面としての輝きが得られるようにすることも考えられるが、ランドセルカバーに対しては嵩張る発光装置となってしまう問題がある。
【０００５】
そこで本考案は上記事情に鑑み、面発光を行なって薄型、柔軟である発光体をカバーの外表面に設けるようにすることを課題とし、昼間時であっても発光によって注意を引き易いランドセル用のカバーを得ることを目的とするものである。
【課題を解決するための手段】
【０００６】
本考案は上記課題を考慮してなされたもので、ランドセルの冠せに装着するランドセルカバーであって、カバーの外表面に、ＥＬからなる有彩色の面発光手段が設けられていることを特徴とするランドセルカバーを提供して、上記課題を解消するものである。
【考案の効果】
【０００７】
本考案によれば、面発光手段が面として発光するため、このカバーをランドセルに取り付けることで、昼間時であっても発光する面発光手段が目立ち易くなり、ランドセルを背負った学童を視認し易くなる。そして、面発光手段がＥＬからなるものであって、柔軟なシート基材を用いることで、発光部分を柔軟で薄型に作製でき、違和感なくランドセルの冠せに取り付けることができるなど、実用性に優れた効果を奏するものである。
【図面の簡単な説明】
【０００８】
【図１】本考案に係るランドセルカバーの一実施例を示す説明図である。
【考案を実施するための形態】
【０００９】
つぎに本考案を図１に示す実施の形態に基づいて説明する。
図中１はランドセルカバーで、該ランドセルカバー１はランドセルの冠せの外表面を覆うことのできる形状とされたカバー本体２と、このカバー本体２に取り付けられている面発光手段３とからなるものである。
【００１０】
図示するように前記カバー本体２は、冠せの形状に対応したシート４の上端にランドセルの背カンに掛け止めるゴム紐からなる帯環５を設けているとともに、そのシート４の上部裏面側であってシート側部にそれぞれ固定され、自由端側を面ファスナにて付け離しが可能となるようにした対の帯体６を設けて、その帯体６を冠せの裏面側に廻し込むことでシート４を冠せにシート上部を固定するようにし、さらに、冠せの下端部を差し入れる袋部７をシート４の下部裏面に設けていて、冠せ下部のベロ部を通す開口が前記袋部７が設けられている。
【００１１】
また、面発光手段３は、上記シート４の外表面に配置されたＥＬからなる薄形で柔軟性のある面発光シート８と、この面発光シート８でのＥＬ素子に発光動作を行なわせるための給電制御器９とからなるものであり、シート４の外表面に位置させた面発光シート８からシート４の裏面に引き出したコード１０をシート４の側部に沿わせ、シート上端から前記コード１０を所要長さ分にして延長させて前記給電制御器９に接続させている。
【００１２】
面発光シート８は発光部位を区分配置して全体として抽象図形を呈する形状にし、発光部位それぞれの発色の色彩が異なるように構成されている。発光部位それぞれの発光動作は給電時に常時オン（点灯）であってもよいし、また、部位ごとのオンとオフ（消灯）とを組み合わせるようにしてもよく、この点消灯動作の制御が上記給電制御器９に組み込まれている。なお、面発光手段３の面発光シート８の形状は限定されず、シート４上での配置や面数、発光動作も限定されるものではない。また、給電制御器９は上述のように面発光シート側に給電する役割を果たすものであるが、この給電制御器自体において電源を乾電池や充電池としたり、或いはランドセルに掛け止めできるようにしたソーラーパネル装置やカバー本体に取り付けるようにしたソーラーパネル装置を電源として用いるようにしてもよい。さらには面発光手段での発光を利用して文字情報表示が行なえるようにしてもよく、例えば小学校名の表示や校区内にある所轄警察署名などの表示を行なうようにしてもよい。
【符号の説明】
【００１３】
１…ランドセルカバー
２…カバー本体
３…面発光手段
４…シート
５…帯環
６…帯体
７…袋部
８…面発光シート
９…給電制御器
１０…コード
【図１】
0003164238.tif 000003